(57)【要約】【課題】浴槽と浴室の壁面との隙間を化粧目地材で密閉する浴槽周りのシールド構造において、化粧目地材の抜け落ち等を防止し、上記の隙間の密閉性、防水性を、長期間にわたって安定的に確実に維持できるようにする。【解決手段】浴槽１のフランジ２の垂下片２ａと係合する鉤形の立ち上がり部３ａを有する浴槽固定具３を、浴室の壁面４に、立ち上がり部３ａの内側を壁面４に向けて設ける。浴槽１のフランジ２と浴室の壁面４との隙間Ｓに、化粧目地材６を差し込む。上記化粧目地材６の差込片部６ｂの下端に返り６ｃを形成する。この返り６ｃと噛み合う縦断面略鋸歯状の噛み合い部７を、浴槽固定具３の垂直片部３ｃに形成する。浴槽固定具３の噛み合い部７に、化粧目地材６の返り６ｃを噛み合わせ、化粧目地材６で上記の隙間Ｓを密閉する。【選択図】      図１
2004337471.tif 000002
【特許請求の範囲】
【請求項１】
浴槽のフランジの垂下片と係合する鉤形の立ち上がり部を有する浴槽固定具が、浴室の壁面に、立ち上がり部の内側が壁面に向けられて設けられ、浴槽のフランジと浴室の壁面との隙間に化粧目地材が差し込まれ、この化粧目地材で上記の隙間が密閉されている浴槽周りのシールド構造であって、上記化粧目地材の差込片部の下端に返りが形成され、この返りと噛み合う縦断面略鋸歯状の噛み合い部が浴槽固定具の垂直片部に形成され、浴槽固定具の噛み合い部に化粧目地材の返りが噛み合わされていることを特徴とする浴槽周りのシールド構造。
【請求項２】
請求項１記載の浴槽周りのシールド構造であって、浴槽固定具に、浴槽のフランジの垂下片と密着する軟質性の漏水防止材が設けられていることを特徴とする浴槽周りのシールド構造。
【請求項３】
請求項１又は２記載の浴槽周りのシールド構造であって、噛み合い部が、浴槽固定具の垂直片部に形成されているのに代え、浴槽固定具とは別個の板材の表面に形成され、この板材が、浴槽のフランジの周辺部垂下壁と対応する浴室の壁面の位置に、又は浴槽のフランジの周辺部垂下壁の外面の位置に設けられていることを特徴とする浴槽周りのシールド構造。
【請求項４】
浴槽のフランジの周辺部垂下壁と浴室の壁面との隙間が化粧目地材で密閉されている浴槽周りのシールド構造であって、上記の化粧目地材が、上記の隙間の上部開口面を覆う軟質性の化粧頭部と、この化粧頭部から垂れ下げられている左右一対の脚片とで形成され、化粧目地材の一方の脚片は化粧頭部の下面がフランジの上面にあてがわれた状態で周辺部垂下壁の外面に接着され、化粧目地材の他方の脚片は化粧頭部を介してめくり動作自在に形成され、上記の一方の脚片に他方の脚片が密着されて左右一対の脚片が上記の隙間に挟まれていることを特徴とする浴槽周りのシールド構造。
【請求項５】
請求項４記載の浴槽周りのシールド構造であって、他方の脚片の下端に、一方の脚片の下端と係合する凸段差状の係合部が形成されていることを特徴とする浴槽周りのシールド構造。
【発明の詳細な説明】
【０００１】
【発明の属する技術分野】
本発明は、浴槽周りのシールド構造に関し、更に詳しくは浴槽と浴室の壁面との隙間を化粧目地材で塞ぐよう形成した浴槽周りのシールド構造に関するものである。
【０００２】
【従来の技術】
従来この種の構造としては、例えば浴槽の周辺部垂下壁と係合する係合部を有する挟持金具を、浴室の壁面に、係合部の内側を壁面に向けて設け、浴槽のフランジと浴室の壁面との隙間に化粧目地材を差し込み、この化粧目地材で上記の隙間を密閉しているものがある（例えば特許文献１参照）。
【０００３】
【特許文献１】
特開２００２―１９１５２４号公報
【０００４】
【発明が解決しようとする課題】
従来この種の構造では、浴室の壁面と浴槽との隙間に差し込む化粧目地材にヒレ状の係止片が形成され、この係止片の作用で隙間に密着させると共に、隙間から化粧目地材が外れることを防止しているものであった。従って従来の構造によると、浴槽や浴室の壁面に撓みや振動、衝撃等が加わると、化粧目地材が浮き上がって抜け出たり、脱落したり、位置ずれすることがあり、その結果上記の隙間の密閉性が低下し易い、という問題点があった。
【０００５】
本発明は、このような従来技術の問題点に鑑み、提案されたものである。
従って本発明の技術的課題は、浴槽と浴室の壁面との隙間を化粧目地材で密閉する浴槽周りのシールド構造において、化粧目地材の抜け落ち等を防止し、上記の隙間の密閉性、防水性を、長期間にわたって安定的に確実に維持できるよう形成した浴槽周りのシールド構造を提供することにある。
【０００６】
【課題を解決するための手段】
本発明は、上記の課題を解決するために、次のような技術的手段を採る。
【０００７】
即ち本発明は、図１等に示されるように、浴槽１のフランジ２の垂下片２ａと係合する鉤形の立ち上がり部３ａを有する浴槽固定具３が、浴室の壁面４に、立ち上がり部３ａの内側が壁面４に向けられて設けられ、浴槽１のフランジ２と浴室の壁面４との隙間Ｓに化粧目地材６が差し込まれ、この化粧目地材６で上記の隙間Ｓが密閉されている浴槽周りのシールド構造であって、上記化粧目地材６の差込片部６ｂの下端に返り６ｃが形成され、この返り６ｃと噛み合う縦断面略鋸歯状の噛み合い部７が浴槽固定具３の垂直片部３ｃに形成され、浴槽固定具３の噛み合い部７に化粧目地材６の返り６ｃが噛み合わされていることを特徴とする（請求項１）。
【０００８】
ここで、略鋸歯状とは、噛み合う形状であれば鋸歯形以外の、例えば正弦波等の波形状でも良い、ということを意味する。又本発明の場合、噛み合い部７が形成される垂直片部３ｃは、浴槽固定具３の水平板部３ｂから独立して立ち上げられている場合には限られず、例えば浴槽固定具３がクランク形に折り曲げられ、この浴槽固定具３の垂直片状の適宜箇所に噛み合い部７が形成されているのでも良い。
【０００９】
又本発明は、図２に示されるように、浴槽固定具３に、浴槽１のフランジ２の垂下片２ａと密着する軟質性の漏水防止材８が設けられているのが好ましい（請求項２）。
【００１０】
なぜならこれによると、万が一、隙間Ｓから漏水しても、漏水防止材８によって止水され、例えば浴室の壁面４に設けてある点検口等に水がかかることを防止できるからである。ここで軟質性の漏水防止材８とは、例えば軟質樹脂やゴムでヒレ状、パッキン状に形成されているものを意味する。漏水防止材８の形状や取付位置は、任意である。具体的には、例えばヒレ状の漏水防止材８が浴槽固定具３の立ち上がり部３ａの内側の水平板部３ｂに、上端がフランジ２の垂下片２ａの下端に密着する状態で起立状に設けられることにより実現される。
【００１１】
又本発明は、例えば図３又は図５に示されるように、噛み合い部７が、浴槽固定具３の垂直片部３ｃに形成されているのに代え、浴槽固定具３とは別個の板材９の表面に形成され、この板材９が、浴槽１のフランジ２の周辺部垂下壁２ｂと対応する浴室の壁面４の位置に、又は浴槽１のフランジ２の周辺部垂下壁２ｂの外面２ｂ１の位置に設けられているのでも良い（請求項３）。
【００１２】
この場合は、浴槽固定具３を、例えば金属板を折り曲げ加工することで簡単に形成することで済むから、その分、浴槽固定具３の製造コストを低廉化できる、という利点がある。ここで、板材９としては、例えば金属板やプラスチック板等がある。この本発明の場合、化粧目地材６の返り６ｃは、板材９の取付位置に応じて、図面上、左側（図３参照）又は右側（図５参照）に形成されるものである。
【００１３】
又本発明の課題を達成する他の構成としては、図６から図８に示されるものがあり。即ちこの本発明は、浴槽１のフランジ２の周辺部垂下壁２ｂと浴室の壁面４との隙間Ｓが化粧目地材１０で密閉されている浴槽周りのシールド構造であって、上記の化粧目地材１０が、上記の隙間Ｓの上部開口面を覆う軟質性の化粧頭部１０ａと、この化粧頭部１０ａから垂れ下げられている左右一対の脚片１０ｂ、１０ｃとで形成され、化粧目地材１０の一方の脚片１０ｂは化粧頭部１０ａの下面がフランジ２の上面にあてがわれた状態で周辺部垂下壁２ｂの外面２ｂ１に接着され、化粧目地材１０の他方の脚片１０ｃは化粧頭部１０ａを介してめくり動作自在に形成され、上記の一方の脚片１０ｂに他方の脚片１０ｃが密着されて左右一対の脚片１０ｂ、１０ｃが上記の隙間Ｓに挟まれていることを特徴とする（請求項４）。
【００１４】
本発明の場合、化粧目地材１０は、通常、例えば軟質性の樹脂材やゴム材で形成される。又化粧目地材１０は、施工現場で作業を軽減できるよう、浴槽１の出荷段階で予め浴槽１のフランジ２の所定位置に接着されているのが好ましい。又ここで、めくり動作自在とは、浴槽１を壁際に配置する際に、他方の脚片１０ｃを上方にめくり上げることが可能で、浴槽１を配置後は、他方の脚片１０ｃを下方に押し込むことが可能である、ということを意味する。
【００１５】
又この本発明の場合は、他方の脚片１０ｃの下端に、一方の脚片１０ｂの下端と係合する凸段差状の係合部１１が形成されているのが好ましい（請求項５）。
【００１６】
なぜならこれによると、係合部１１によって他方の脚片１０ｃを一方の脚片１０ｂに固定でき、化粧目地材１０を安定的に装着できるからである。
【００１７】
【発明の実施の形態】
以下、本発明の好適な一実施形態を添付図面に従って説明する。
【００１８】
図１等において、１は浴槽であり、２はこの浴槽１のフランジ、２ａはこのフランジ２の垂下片である。３は、この垂下片２ａと係合する鉤形の立ち上がり部３ａを有する浴槽固定具である。この浴槽固定具３は、浴室の壁面４に、立ち上がり部３ａの内側が壁面４に向けられて設けられている。５は、浴槽固定具３を浴室の壁面４に固定するための止めネジである。
【００１９】
６は、浴槽１のフランジ２と浴室の壁面４との隙間Ｓに差し込まれている化粧目地材である。この化粧目地材６は、頭部６ａが隙間Ｓの上部開口面を覆い、差込片部６ｂの下端には返り６ｃが形成されている。又差込片部６ｂの片側には、ヒレ部材６ｄが一体状に複数形成されている。化粧目地材６は、隙間Ｓに差し込まれると、このヒレ部材６ｄが撓んでフランジ２の外周面に係止し、このヒレ部材６ｄの復元力で頭部６ａが浴室の壁面４に押し付けられて密着する。
【００２０】
７は、上記の返り６ｃと噛み合う縦断面略鋸歯状の噛み合い部である。この噛み合い部７は、この実施形態では浴槽固定具３の水平板部３ｂに起立状に立ち上げられている垂直片部３ｃに、鋸歯状に形成されている。垂直片部３ｃの上端は、化粧目地材６の下端を噛み合い部７に円滑に導いて誘い込むことができるよう、立ち上がり部３ａの側に反り返されている。
【００２１】
次にこの本発明における浴槽１の設置例を説明する。
作業者は、先ず浴槽１のフランジ２に対応する浴室の壁面４の位置に、浴槽固定具３を止めネジ５で取り付ける。次にこの浴槽固定具３の立ち上がり部３ａの内側に、フランジ２の垂下片２ａを係合させて浴槽１を据え付ける。その後、作業者は、浴槽１のフランジ２と浴室の壁面４との隙間Ｓに化粧目地材６を差し込み、化粧目地材６の下端の返り６ｃを噛み合い部７に係合させて頭部６ａで隙間Ｓの上部開口面を閉塞する。この場合、化粧目地材６は、ヒレ部材６ｄの復元力で頭部６ａが壁側に押し付けられ、壁面４から離されることなく壁面４とフランジ２の上面に頭部６ａの下面が密着する。又本発明では、化粧目地材６の返り６ｃが浴槽固定具３の噛み合い部７に噛み合わされるため、化粧目地材６が確実、堅固に、且つ長期間にわたって安定的に取り付けられるものである。
【００２２】
以上の処において、本発明は、図２に示されるように、浴槽固定具３に、浴槽１のフランジ２の垂下片２ａと密着する軟質性の漏水防止材８が設けられているのでも良い。この漏水防止材８は、この実施形態では軟質樹脂でヒレ状に形成され、浴槽固定具３の立ち上がり部３ａの内側の水平板部３ｂの位置に起立状に設けられると共に、上端がフランジ２の垂下片２ａの下端に密着するよう形成されている。
【００２３】
又本発明の場合、上記の噛み合い部７は、浴槽固定具３の垂直片部３ｃに形成されている場合には限られない。即ち本発明は、例えば図３又は図５に示されるように、噛み合い部７が、浴槽固定具３とは別個の例えば金属製の板材９の表面に形成され、この板材９が、浴槽１のフランジ２の周辺部垂下壁２ｂと対応する浴室の壁面４の位置に、又は浴槽１のフランジ２の周辺部垂下壁２ｂの外面２ｂ１の位置に、ネジ５１又は接着剤等の手段で設けられているのでも良い。板材９の上端部９ａは、化粧目地材６の下端を噛み合い部７に円滑に誘い込んで案内できるよう傾斜面状に形成されている。
【００２４】
次に請求項４記載の本発明の好適な一実施形態を、図６から図８に従って説明する。上例と同一部材、同一箇所については同一の符号を付し、詳しい説明は省略する。
【００２５】
１０は、浴槽１のフランジ２の周辺部垂下壁２ｂと浴室の壁面４との隙間Ｓを密閉するための化粧目地材である。この化粧目地材１０は、上記の隙間Ｓの上部開口面を覆う例えば軟質樹脂製の化粧頭部１０ａと、この化粧頭部１０ａから垂れ下げられている左右一対の脚片１０ｂ、１０ｃとで形成されている。左右一対の脚片１０ｂ、１０ｃは、化粧頭部１０ａより硬質状に形成されている。
【００２６】
化粧目地材１０の一方の脚片１０ｂは、化粧頭部１０ａの下面がフランジ２の上面にあてがわれた状態で周辺部垂下壁２ｂの外面２ｂ１に接着されている。
【００２７】
又化粧目地材１０の他方の脚片１０ｃは、化粧頭部１０ａを介してめくり動作自在に形成されている。他方の脚片１０ｃは、その下端に、一方の脚片１０ｂの下端と係合する凸段差状の係合部１１が形成されている。他方の脚片１０ｃは、一方の脚片１０ｂに密着され、左右一対の脚片１０ｂ、１０ｃは隙間Ｓに挟まれている。
【００２８】
次に本発明構造における浴槽１の設置例を説明する。
先ず作業者は、図７、図８に示されるように、他方の脚片１０ｃを化粧頭部１０ａを介してめくり上げ、次にこの状態で浴槽１を設置箇所の壁際に配置する。この場合作業者は、図８に示されるように、浴槽１を傾斜させ、フランジ２を引き起こした状態で壁側に向かって据え付けると良い。そして他方の脚片１０ｃを、壁面４との間にできる隙間Ｓ（図６参照）に押し込み、他方の脚片１０ｃの係合部１１を一方の脚片１０ｂの下端に係合させると共に、化粧頭部１０ａを壁面４に密着させて浴槽１を設置する。
【００２９】
【発明の効果】
以上説明したように本発明の構造は、浴槽固定具の噛み合い部に化粧目地材の返りを噛み合わせて、浴室の壁面と浴槽のフランジとの隙間を密閉しているものである。
【００３０】
従って本発明によれば、化粧目地材を確実、堅固、安定的に取り付けでき、浴室の壁面と浴槽との隙間を確実に、且つ長期間にわたって安定的に密閉できる。
【００３１】
又請求項４記載の本発明の構造は、化粧目地材を、化粧頭部と左右一対の脚片とで形成し、一方の脚片を浴槽のフランジの所定位置に接着し、他方の脚片を軟質性の化粧頭部を介してめくり動作自在に形成し、一方の脚片に他方の脚片を密着させて浴室の壁面と浴槽との隙間を化粧目地材で密閉しているものである。
【００３２】
従ってこの本発明の構造によれば、請求項１記載の本発明と同様、化粧目地材の抜け落ち等を防止でき、浴室の壁面と浴槽との隙間を確実に、且つ長期間にわたって安定的に密閉できる。又この本発明の場合は、他方の脚片を、化粧頭部を介してめくり動作自在に形成しているから、これによれば浴槽を壁際に配置後、他方の脚片を下方に押し込むことが可能であり、浴槽を壁際により近接させることができる。又この本発明では、一方の脚片を浴槽の周辺部垂下壁の外面に接着しているから、これによれば浴槽に撓みや振動等が生じても、化粧目地材が浴槽の周辺部垂下壁と擦れることがなく、従って異音を発生させることがない。
【図面の簡単な説明】
【図１】本発明構造の好適な一実施形態を示す一部を切欠した要部縦断面図である。
【図２】同上構造の他の実施形態を示す一部を切欠した要部縦断面図である。
【図３】同上構造の他の実施形態を示す一部を切欠した要部縦断面図である。
【図４】図３の実施形態における作用を説明するための一部を切欠した要部縦断面図である。
【図５】同上構造の他の実施形態を示す一部を切欠した要部縦断面図である。
【図６】本発明構造の他の構成を示す一部を切欠した要部縦断面図である。
【図７】図６の本発明構造の作用を説明するための一部を切欠した要部縦断面図である。
【図８】図６の本発明構造の作用を説明するための一部を切欠した要部縦断面図である。
【符号の説明】
１    浴槽
２    フランジ
２ａ  垂下片
３    浴槽固定具
３ａ  立ち上がり部
３ｂ  水平板部
３ｃ  垂直片部
４    浴室の壁面
５    止めネジ
６    化粧目地材
６ａ  頭部
６ｂ  差込片部
６ｃ  返り
６ｄ  ヒレ部材
７    噛み合い部
Ｓ    隙間
【図１】
2004337471.tif 000003
【図２】
2004337471.tif 000004
【図３】
2004337471.tif 000005
【図４】
2004337471.tif 000006
【図５】
2004337471.tif 000007
【図６】
2004337471.tif 000008
【図７】
2004337471.tif 000009
【図８】
2004337471.tif 000010